(57)【特許請求の範囲】
【請求項１】
Ｏリングが外周に設けられた挿入部と、
前記挿入部が挿入され、該挿入部のＯリングが圧接されるテーパ状の内周壁を有する孔部と、
前記Ｏリングの中心点が各ネジ又は各ボルトを結ぶ線からずれるように、前記Ｏリング及びその中心に交差する直線によって区画される２つの領域のうちの一方のみにおいて前記各ネジ又は前記各ボルトにより前記挿入部と前記孔部を締結する締結部とを備える部材の締結構造。
【発明の詳細な説明】
【０００１】
【発明の属する技術分野】
本発明は、部材と部材間に気密性を持たせて、両者を締結するための部材の締結構造に関する。
【０００２】
【従来の技術】
この種の締結構造としては、例えば図４に示す様な内燃機関におけるエアーフローメータと吸気管を締結するための構造がある（特開平９−２８７９９１号公報を参照）。図４において、エアーフローメータ１０１を吸気管１０２の孔１０２ａに挿入し、エアーフローメータ１０１のフランジ部１０１ａ外周のＯリング１０３を該孔１０２ａの内周に圧接する。ネジ１０４をエアーフローメータ１０１の固定部１０５の小孔１０５ａを介して吸気管１０２の取り付けフランジ１０６にねじ込み、エアーフローメータ１０１を吸気管１０２に固定する。これによってエアーフローメータ１０１と吸気管１０２間に気密性を持たせて、エアーフローメータ１０１と吸気管１０２を締結する。
【０００３】
【発明が解決しようとする課題】
しかしながら、上記従来の締結構造においては、例えばエアーフローメータ１０１や吸気管１０２に振動が発生すると、該振動によってネジ１０４が徐々に緩んで脱落することがあった。この様な現象は、ネジ１０４の代わりに、ボルト及びナット、タッピングスクリュー等を適用しても同様に発生した。
【０００４】
そこで、本発明は、上記従来の問題を解決するためになされたものであり、振動等によってネジ等の部品が緩むことのない部材の締結構造を提供することを目的とする。
【０００５】
【課題を解決するための手段】
上記従来の課題を解決するために、本発明の部材の締結構造は、Ｏリングが外周に設けられた挿入部と、前記挿入部が挿入され、該挿入部のＯリングが圧接されるテーパ状の内周壁を有する孔部と、前記Ｏリングの中心点が各ネジ又は各ボルトを結ぶ線からずれるように、前記Ｏリング及びその中心に交差する直線によって区画される２つの領域のうちの一方でのみ、前記各ネジ又は前記各ボルトにより前記挿入部と前記孔部を締結する締結部とを備えている。
【０００６】
本発明によれば、Ｏリングの中心点が各ネジ又は各ボルトを結ぶ線からずれるように、Ｏリング及びその中心に交差する直線によって区画される２つの領域のうちの一方のみにおいて各ネジ又は各ボルトにより挿入部と孔部を締結部によって締結している。一方の領域のみにおいて各ネジ又は各ボルトにより挿入部と孔部を締結した場合、Ｏリングの弾性力によって挿入部が押し上げられると、この挿入部が締結部を中心に回転しようとするので、締結部に回転方向の力が加わる。この締結部としてネジ、ボルト、タッピングスクリュー等を用いれば、該回転方向の力がネジ、ボルト、タッピングスクリュー等に加わり、これらが緩み難くなる。
【０００７】
【発明の実施の形態】
以下、本発明の実施形態を添付図面を参照して説明する。
【０００８】
図１は、本発明の締結構造の一実施形態を適用した内燃機関におけるエアーフローメータと吸気管を示す平面図である。また、図２は図１のＡ−Ａに沿って切断して示す断面図であり、図３は図１のＢ−Ｂに沿って切断して示す断面図である。
【０００９】
本実施形態においては、内燃機関におけるエアーフローメータ１と吸気管２間に気密性を持たせて、両者を締結している。
【００１０】
図１、図２及び図３に示す様にエアーフローメータ１は、流量検出部３及び固定部４からなり、流量検出部３の外周壁上側に環状溝３ａを形成し、Ｏリング６を該環状溝３ａに嵌め入れている。Ｏリング６及びその中心に交差する直線Ｓによって区画される２つの領域Ｐ1，Ｐ2を定義すると、一方の領域Ｐ1のみにおいて固定部４に２つの小孔４ａを形成している。
【００１１】
吸気管２の筒部５の孔５ａは、その内径が該吸気管２の中心方向で細くなるテーパ状に形成されている。
【００１２】
エアーフローメータ１を吸気管２に取り付けるときには、エアーフローメータ１の流量検出部３を吸気管２の筒部５の孔５ａに挿入し、２つのタッピングスクリュー７を固定部４の２つの小孔４ａを介して吸気管２の筒部５にねじ込む。これらのタッピングスクリュー７は、筒部５にそれぞれのネジ孔を形成しつつねじ込まれる。これによって、Ｏリング６が吸気管２の筒部５の内周壁に押し付けられ、エアーフローメータ１と吸気管２間の気密性がＯリング６によって保持された状態で、エアーフローメータ１と吸気管２が締結される。
【００１３】
この様な構成において、各タッピングスクリュー７は、Ｏリング６及びその中心に交差する直線Ｓによって区画される一方の領域Ｐ1のみに配置される。このため、エアーフローメータ１の固定部４を押し上げるＯリング６の弾性力の作用点（Ｏリング６の中心点）が固定部４の支点（各タッピングスクリュー７を結ぶ線Ｑ）からずれる。この結果、固定部４が各タッピングスクリュー７を結ぶ線Ｑを中心に矢印Ｄの回転方向に回転しようとし、タッピングスクリュー７に矢印ｄの回転方向の力が加わり、各タッピングスクリュー７のネジ山と吸気管２の筒部５のネジ溝が相互に圧接し合う。これによって、エアーフローメータ１や吸気管２に振動が発生しても、各タッピングスクリュー７が緩まなくなる。
【００１４】
尚、本発明は、上記実施形態に限定されるものでなく、多様に変形することができる。例えば、タッピングスクリューの代わりに、ネジ、ボルト及びナット等を適用することができる。いずれを選択しても緩みどめがなされるので、コストの低いタッピングスクリューを適用すれば、緩みどめだけでなく、コストの低減を図ることができる。また、エアーフローメータを吸気管に取り付けるだけでなく、一方の部材を他方の部材の孔に挿入し、両者間の気密性をＯリングによって保持する構成であれば、本発明を適用することができる。
【００１５】
【発明の効果】
以上説明した様に本発明によれば、Ｏリングの中心点が各ネジ又は各ボルトを結ぶ線からずれるように、Ｏリング及びその中心に交差する直線によって区画される２つの領域のうちの一方のみにおいて各ネジ又は各ボルトにより挿入部と孔部を締結部によって締結している。一方の領域のみにおいて挿入部と孔部を締結している場合、Ｏリングの弾性力によって挿入部が押し上げられると、この挿入部が締結部を中心に回転しようとするので、締結部に回転方向の力が加わる。この締結部としてネジ、ボルト、タッピングスクリュー等を用いれば、該回転方向の力がネジ、ボルト、タッピングスクリュー等に加わり、これらが緩み難くなる。
【図面の簡単な説明】
【図１】本発明の締結構造の一実施形態を適用したエアーフローメータと吸気管を示す平面図である。
【図２】図１のＡ−Ａに沿って切断して示す断面図である。
【図３】図１のＢ−Ｂに沿って切断して示す断面図である。
【図４】エアーフローメータと吸気管の従来の締結構造を示す断面図である。
【符号の説明】
１  エアーフローメータ
２  吸気管
３  流量検出部
４  固定部
５  筒部
６  Ｏリング
７  タッピングスクリュー
【図１】
0003714007.tif 000002
【図２】
0003714007.tif 000003
【図３】
0003714007.tif 000004
【図４】
0003714007.tif 000005